(57)【要約】【課題】実際の使用に最低限必要となる部分を、台紙等に貼付する作業を不要としながらも、台紙等に取り付けられたような状態から隠蔽情報を視認不可能としたまま容易に取り外す。【解決手段】台紙１０、下紙２０及び上紙３０がこの順で積層されて貼着され、下紙２０は、上紙１０との貼着面にＰＩＮコード２１が表示され、上紙３０は、ＰＩＮコード２１に対向する領域に、上紙３０から分離可能に区画形成された剥離片部２ａを有し、下紙２０及び上紙３０は、剥離片部２ａを含み、下紙２０及び上紙３０から分離可能に区画形成されるとともに台紙１０と下紙２０とが剥離可能に構成されてなる本体部２ｂを有する。【選択図】図２
2018058296.tif 000002
【特許請求の範囲】
【請求項１】
第１、第２及び第３のシートがこの順で積層されて貼着されてなるサービス提供用シートであって、
前記第２のシートまたは前記第３のシートは、前記第３のシートまたは前記第２のシートとの貼着面に隠蔽情報が表示され、かつ、少なくとも前記隠蔽情報が表示された領域または前記隠蔽情報に対向する領域に、当該第２のシートまたは第３のシートから分離可能に区画形成されるとともに前記第２のシートと前記第３のシートとが剥離可能に構成されてなる第１の分離部を有し、
前記第２のシート及び第３のシートは、少なくとも前記第１の分離部を含み、当該第２のシート及び第３のシートから分離可能に区画形成されるとともに前記第２のシートが前記第１のシートと剥離可能に構成されてなる第２の分離部を有する、サービス提供用シート。
【請求項２】
請求項１に記載のサービス提供用シートにおいて、
前記第２のシートは、前記第３のシートとの貼着面に、前記隠蔽情報と対応づけられた対応情報が表示され、
前記第３のシートは、前記対応情報に対向する領域に孔部を有する、サービス提供用シート。
【請求項３】
請求項１または請求項２に記載のサービス提供用シートにおいて、
前記第１のシートは、前記第２のシートとの貼着面とは反対側の面に粘着層が積層されている、サービス提供用シート。
【発明の詳細な説明】
【技術分野】
【０００１】
本発明は、コンピュータネットワーク上の電子店舗にて提供されるサービスの利用代金を、プリペイド方式にて決済するシステムに用いられる、サービス提供用シートに関する。
【背景技術】
【０００２】
近年、コンピュータネットワーク上の電子店舗における買物を、プリペイドカードを用いて利用可能とするシステムが実用化されている。このようなシステムにおいては、プリペイドカードにＩＤ及びこれに対応づけられたＰＯＳコードが表示されており、プリペイドカードが購入される際、プリペイドカードに表示されたＰＯＳコードがＰＯＳレジにて読み取られることによってプリペイドカードが使用可能な状態となる。その後、プリペイドカードを購入した利用者は、プリペイドカードに表示されたＩＤを用いて、電子店舗にて買物を行うことになる（例えば、特許文献１参照）。
【０００３】
ここで、上述したようなプリペイドカードを用いたシステムにおいては、ＩＤの不正使用が懸念される。そこで、本出願人は、第１のシートと第２のシートとが貼着され、第１のシートの第２のシートとの貼着面に、ＰＩＮコードとＰＯＳコードとが表示されてなる構成を有し、第２のシートのＰＯＳコードと対向する領域に孔部を設けるとともに、第１のシートのＰＩＮコードが表示された領域を分離可能に区画形成したサービス提供用シートを考え出した。このサービス提供用シートによれば、第１のシートと第２のシートとが貼着された状態においては、ＰＯＳコードを視認可能としながらもＰＩＮコードを視認不可能とすることで、不正使用を回避することができ、このサービス提供用シートを購入した者が、第１のシートのＰＩＮコードが表示された領域を第１のシートから分離するとともに第２のシートから剥離することでＰＩＮコードを視認可能とし、ＰＩＮコードを用いてサービスの提供を受けることができるようになる（例えば、特許文献２参照）。
【先行技術文献】
【特許文献】
【０００４】
【特許文献１】特開平１１−２０３５６０号公報
【特許文献２】特開２０１４−１３０５５８号公報
【発明の概要】
【発明が解決しようとする課題】
【０００５】
ところで、上述したようなサービス提供用シートにおいては、結婚式等の贈答品として目録に貼付して贈られる場合がある。その場合、サービス提供用シートを目録に貼付する手間がかかってしまうとともに、サービス提供用シートを目録に貼付する接着剤等の種類によっては、サービス提供用シートの使用時に目録からきれいに取り外すことができないという問題点がある。
【０００６】
本発明は、上述したような従来の技術が有する問題点に鑑みてなされたものであって、使用前の状態ではＰＩＮコード等の隠蔽情報を視認不可能とし、使用時に隠蔽情報を視認可能とするサービス提供用シートにおいて、実際の使用に最低限必要となる部分を、台紙等に貼付する作業を不要としながらも、台紙等に取り付けられたような状態から隠蔽情報を視認不可能としたまま容易に取り外すことができるサービス提供用シートを提供することを目的とする。
【課題を解決するための手段】
【０００７】
上記目的を達成するために本発明は、
第１、第２及び第３のシートがこの順で積層されて貼着されてなるサービス提供用シートであって、
前記第２のシートまたは前記第３のシートは、前記第３のシートまたは前記第２のシートとの貼着面に隠蔽情報が表示され、かつ、少なくとも前記隠蔽情報が表示された領域または前記隠蔽情報に対向する領域に、当該第２のシートまたは第３のシートから分離可能に区画形成されるとともに前記第２のシートと前記第３のシートとが剥離可能に構成されてなる第１の分離部を有し、
前記第２のシート及び第３のシートは、少なくとも前記第１の分離部を含み、当該第２のシート及び第３のシートから分離可能に区画形成されるとともに前記第２のシートが前記第１のシートと剥離可能に構成されてなる第２の分離部を有する。
【０００８】
上記のように構成された本発明においては、第１、第２及び第３のシートが貼着され、第２の分離部が第２及び第３のシートから分離していない状態においては、第２の分離部が、第２及び第３のシートの第２の分離部以外の領域と第１のシートとからなる台紙となる部分に取り付けられた状態となっている。第２の分離部は、第２のシート及び第３のシートから分離可能に区画形成されるとともに第２のシートが第１のシートと剥離可能に構成されてなるものであるため、第２のシートまたは第３のシートに表示された隠蔽情報を用いてサービスの提供を受けるために第２の分離部を容易に分離することができる。その際、第２の分離部においては、第２のシートまたは第３のシートの隠蔽情報が表示された領域を含んでいるが、この領域は、第２のシートと第３のシートとが剥離可能に貼着された第１の分離部となっているので、隠蔽情報は視認不可能な状態となっている。
【０００９】
このように、第２のシートまたは第３のシートに表示された隠蔽情報を用いてサービスの提供を受けるために最低限必要となる第２の分離部が、第２のシート及び第３のシートから分離可能に区画形成されるとともに第２のシートが第１のシートと剥離可能に構成されてなるものであるため、第２の分離部を、第２及び第３のシートの第２の分離部以外の領域と第１のシートとからなる台紙となる部分に貼付する作業を不要としながらも、台紙となる部分に取り付けられたような状態から隠蔽情報を視認不可能としたまま容易に取り外すことができる。
【００１０】
また、第２のシートの第３のシートとの貼着面に、隠蔽情報と対応づけられた対応情報が表示され、第３のシートが、対応情報に対向する領域に孔部を有するものであれば、隠蔽情報と対応づけられた対応情報を使用前の状態にて読み取ることができる。
【００１１】
また、第１のシートの第２のシートとの貼着面とは反対側の面に粘着層が積層されていれば、第２の分離部を分離する前の状態にて、サービス提供用シートを物品等に貼付することができる。
【発明の効果】
【００１２】
本発明によれば、第２のシートまたは第３のシートに表示された隠蔽情報を用いてサービスの提供を受けるために最低限必要となる第２の分離部が、第２のシート及び第３のシートから分離可能に区画形成されるとともに第２のシートが第１のシートと剥離可能に構成されてなるものであるため、第２の分離部を、第２及び第３のシートの第２の分離部以外の領域と第１のシートとからなる台紙となる部分に貼付する作業を不要としながらも、台紙となる部分に取り付けられたような状態から隠蔽情報を視認不可能としたまま容易に取り外すことができる。
【００１３】
また、第２のシートの第３のシートとの貼着面に、隠蔽情報と対応づけられた対応情報が表示され、第３のシートが、対応情報に対向する領域に孔部を有するものにおいては、隠蔽情報と対応づけられた対応情報を使用前の状態にて読み取ることができる。
【００１４】
また、第１のシートの第２のシートとの貼着面とは反対側の面に粘着層が積層されているものにおいては、第２の分離部を分離する前の状態にて、サービス提供用シートを物品等に貼付することができる。
【図面の簡単な説明】
【００１５】
【図１】本発明のサービス提供用シートの第１の実施の形態を示す図であり、（ａ）は表面図、（ｂ）は（ａ）に示したＡ−Ａ’断面図、（ｃ）は（ａ）に示したＢ−Ｂ’断面図、（ｄ）は外観斜視図である。
【図２】図１に示したサービス提供用シートの分解図であり、（ａ）は上紙の表面図、（ｂ）は上紙の裏面図、（ｃ）は下紙の表面図、（ｄ）は下紙の裏面図、（ｅ）は台紙の表面図、（ｆ）は台紙の裏面図である。
【図３】図１及び図２に示したサービス提供用シートが使用される環境を示す図である。
【図４】図３に示した環境における図１及び図２に示したサービス提供用シートの使用方法を説明するためのフローチャートである。
【図５】図１及び図２に示したサービス提供用シートの使用状態を示す図である。
【図６】図１及び図２に示したサービス提供用シートの使用状態を示す図である。
【図７】図１及び図２に示したサービス提供用シートの使用状態を示す図である。
【図８】本発明のサービス提供用シートの第２の実施の形態を示す図であり、（ａ）は表面図、（ｂ）は（ａ）に示したＡ−Ａ’断面図、（ｃ）は外観斜視図である。
【図９】図８に示したサービス提供用シートの分解図であり、（ａ）は上紙の表面図、（ｂ）は上紙の裏面図、（ｃ）は下紙の表面図、（ｄ）は下紙の裏面図、（ｅ）は台紙の表面図、（ｆ）は台紙の裏面図である。
【図１０】図８及び図９に示したサービス提供用シートの使用状態を示す図である。
【図１１】図８及び図９に示したサービス提供用シートの使用状態を示す図である。
【図１２】本発明のサービス提供用シートの第３の実施の形態を示す図であり、（ａ）は表面図、（ｂ）は（ａ）に示したＡ−Ａ’断面図である。
【図１３】本発明のサービス提供用シートの第４の実施の形態を示す図であり、（ａ）は表面図、（ｂ）は（ａ）に示したＡ−Ａ’断面図、（ｃ）は（ａ）に示したＢ−Ｂ’断面図である。
【図１４】本発明のサービス提供用シートの第５の実施の形態を示す図であり、（ａ）は表面図、（ｂ）は（ａ）に示したＡ−Ａ’断面図、（ｃ）は（ａ）に示したＢ−Ｂ’断面図である。
【図１５】図１４に示したサービス提供用シートの分解図であり、（ａ）は上紙の表面図、（ｂ）は上紙の裏面図、（ｃ）は下紙の表面図、（ｄ）は下紙の裏面図、（ｅ）は台紙の表面図、（ｆ）は台紙の裏面図である。
【発明を実施するための形態】
【００１６】
以下に、本発明の実施の形態について図面を参照して説明する。
【００１７】
（第１の実施の形態）
図１は、本発明のサービス提供用シートの第１の実施の形態を示す図であり、（ａ）は表面図、（ｂ）は（ａ）に示したＡ−Ａ’断面図、（ｃ）は（ａ）に示したＢ−Ｂ’断面図、（ｄ）は外観斜視図である。図２は、図１に示したサービス提供用シート１の分解図であり、（ａ）は上紙３０の表面図、（ｂ）は上紙３０の裏面図、（ｃ）は下紙２０の表面図、（ｄ）は下紙２０の裏面図、（ｅ）は台紙１０の表面図、（ｆ）は台紙１０の裏面図である。
【００１８】
本形態のサービス提供用シート１は図１に示すように、その外形が同一となり、角部に丸みを帯びた台紙１０、下紙２０及び上紙３０が互いに貼着されて構成されている。なお、図１（ｂ），（ｃ）においては、サービス提供用シート１の積層構造をわかりやすくするために便宜上厚みを帯びて図示しているが、サービス提供用シート１は実際には、図１（ｄ）に示すように、横方向からは積層構造がわからないほど極めて薄いものである。
【００１９】
台紙１０は、本願発明の第１のシートとなるものである。台紙１０の下紙２０との貼着面となる表面には、図２（ｅ）に示すように、その周縁部に接着剤が塗布されることで接着層４０が積層されているとともに、接着層４０に囲まれた領域に通知情報１１が表示されている。台紙１０の下紙２０との貼着面とは反対側の面となる裏面には、図２（ｆ）に示すようにその全面に粘着剤が塗布されることで粘着層６０が積層されており、この粘着層６０によって剥離紙５０が剥離可能に貼着されている。
【００２０】
下紙２０は、本願発明の第２のシートとなるものである。下紙２０の上紙３０との貼着面となる表面には、図２（ｃ）に示すように、隠蔽情報となるＰＩＮコード２１と、対応情報となるＰＯＳカード２２とが表示されているとともに、ＰＩＮコード２１とＰＯＳコード２２が表示された領域を除いた部分に接着剤が塗布されることで接着層４０が積層されている。ＰＩＮコード２１とＰＯＳコード２２とは、後述するが互いに対応づけられたものとなっている。下紙２０の台紙１０との貼着面となる裏面には、図２（ｄ）に示すように、その周縁部に接着剤が塗布されることで接着層４０が積層されている。
【００２１】
上紙１０は、本願発明の第３のシートとなるものである。上紙１０には、ＰＯＳコード２２に対向する領域に孔部３が形成されているとともに、ＰＩＮコード２１に対向する領域に剥離片部２ａが設けられている。剥離片部２ａは、本願発明における第１の分離部となるものであり、スリット４ａとジッパー部４ｂとミシン目４ｃとからなる切り離し線４によって上紙３０から分離可能に区画形成されている。スリット４ａは半円状のものであり、この半円状の両端部に２本のジッパー部４ｂが連続している。２本のジッパー部４ｂは、略ヘの字を構成する切り込みが、スリット４ａの両端部から半円の接線方向に互いに並行するように複数配列して構成されている。ジッパー部４ｂを構成する複数の切り込みのそれぞれは、略ヘの字の短辺がスリット４ａ側となって２本のジッパー部４ｂ間の方向に斜めに延び、また、略ヘの字の長辺が、複数の切り込みの配列方向に延びて構成されている。ミシン目４ｃは、ジッパー部４ｂのスリット４ａとは反対側の端部に、２本のジッパー部４ｂを繋ぐように設けられている。なお、剥離片部２ａを上紙３０から分離可能に区画形成するための切り離し線４としては、スリット４ａとジッパー部４ｂとミシン目４ｃとからなるものに限らない。上紙３０の下紙２０との貼着面となる裏面には、図２（ｂ）に示すように、剥離片部２ａを除いた領域に接着剤が塗布されることで接着層４０が積層されている。
【００２２】
上記のように構成されて貼着された上紙３０と下紙２０は、その周縁部に沿って、マイクロミシン５ａとスリット５ｂとが交互に繋がってなる切り離し線５が形成されており、それにより、切り離し線５で囲まれた領域が、第２の分離部である本体部２ｂとなって上紙３０及び下紙２０から分離可能に区画形成されている。切り離し線５の４つの角部には、上紙３０及び下紙２０の角部に向かって延びたスリット６がそれぞれ形成されている。
【００２３】
台紙１０、下紙２０及び上紙３０がそれぞれ上記のように構成されていることにより、下紙２０は、切り離し線５の外側の領域にて台紙１０と貼着されている。また、上紙３０は、剥離片部２ａ以外の領域にて下紙２０と貼着されている。
【００２４】
上記のように構成されたサービス提供用シート１においては、互いに対応づけられたＰＩＮコード２１とＰＯＳコード２２とが、共に下紙２０の上紙３０との貼着面に表示されるため、これらを同時に印字することができ、マッチングミスを回避することができる。
【００２５】
以下に、上記のように構成されたサービス提供用シート１の使用方法について説明する。
【００２６】
図３は、図１及び図２に示したサービス提供用シート１が使用される環境を示す図であり、図４は、図３に示した環境における図１及び図２に示したサービス提供用シート１の使用方法を説明するためのフローチャートである。図５〜図７は、図１及び図２に示したサービス提供用シート１の使用状態を示す図である。
【００２７】
図１及び図２に示したサービス提供用シート１は、図３に示すように、サービス提供用シート１を用いてサービスを提供するサービス提供サーバ７２と、通信回線７４を介してサービス提供サーバ７２と接続可能なＰＯＳ端末７１及び携帯端末７３とを有してなる環境で使用される。
【００２８】
まず、サービス提供用シート１を贈答する利用者がサービス提供用シート１を購入する際、その店舗に設置されたＰＯＳ端末７１においてＰＯＳコード２２が読み取られる（ステップ１）。サービス提供用シート１は、図１（ａ）に示した状態で販売されることになるが、この状態においては、下紙２０に表示されたＰＯＳコード２２が、上紙３０に形成された孔部３を介して視認可能となっているため、ＰＯＳ端末７１にて読み取ることができる。また、サービス提供用シート１が販売される状態においては、下紙２０に表示されたＰＩＮコード２１は上紙３０に覆われて視認不可能となっている。
【００２９】
サービス提供用シート１から読み取られたＰＯＳコード２２は、ＰＯＳ端末７１から送信され（ステップ２）、通信回線７４を介してサービス提供サーバ７２にて受信される（ステップ３）。
【００３０】
サービス提供サーバ７２においては、販売されているサービス提供用シート１の下紙２０に表示されたＰＩＮコード２１とＰＯＳコード２２とがサービス提供用シート１毎に対応づけて管理されており、ＰＯＳコード２２が受信されると、受信したＰＯＳコード２２について、サービスを利用可能であることを示す利用可能フラグが“１”に設定され、ＯＮ状態となる（ステップ４）。
【００３１】
サービス提供用シート１を購入した利用者は、購入したサービス提供用シート１の台紙１０の裏面に貼付された剥離紙５０を剥離し、表出した粘着層６０によって、図５（ａ）に示すように郵便物７にサービス提供用シート１を貼付して贈答する。本形態のサービス提供用シート１においては、台紙１０の下紙２０との貼着面とは反対側の面に粘着層６０が積層されているため、本体部２ｂを分離する前の状態にて、サービス提供用シート１を郵便物７等に貼付することができる。
【００３２】
サービス提供用シート１を贈られた利用者は、サービス提供用シート１を郵便物７から剥離するために、図５（ｂ）に示すように、上紙３０及び下紙２０に形成されたマイクロミシン５ａを破断することで切り離し線５を介して本体部２ｂを分離していく。下紙２０は、切り離し線５の外側の領域にて台紙１０と貼着されているため、マイクロミシン５ａを破断すれば、本体部２ｂを台紙１０から剥離することができる。その際、切り離し線５の角部の１つを分離開始端として本体部２ｂを分離していくことになるが、切り離し線５の４つの角部には、上紙３０及び下紙２０の角部に向かって延びたスリット６がそれぞれ形成されているため、サービス提供用シート１を郵便物７とともにスリット６が開くように湾曲させることで、本体部２ｂを分離しやすくすることができる。
【００３３】
本体部２ｂがサービス提供用シート１から完全に分離されることにより、図６（ａ）に示すように、本体部２ｂを郵便物７から分離することができる。一方、本体部２ｂが分離したサービス提供用シート１は、図６（ｂ）に示すように、郵便物７に貼付されたままの状態となっており、台紙１０の下紙２０との貼着面に表示された通知情報１１が視認可能となる。
【００３４】
そして、サービス提供用シート１を贈られた利用者は、サービスを利用するために、図７（ａ）に示すように、剥離片部２ａのスリット４ａ側の端部を剥離開始端とし、ジッパー部４ｂを破断していくことにより、剥離片部２ａを下紙２０から剥離していく。上紙３０は、剥離片部２ａ以外の領域にて下紙２０と貼着されているため、ジッパー部４ｂを破断すれば、剥離片部２ａを下紙２０から剥離することができる。ここで、２本のジッパー部４ｂを破断していく際、上紙３０が破断しようとする力は、ジッパー部４ｂを構成する複数の切り込みそれぞれのミシン目４ｃ側の端部から２本のジッパー部４ｂ間の方向に斜めに向かう。ところが、ジッパー部４ｂを構成する略への字の切り込みの短辺がスリット４ａ側となって２本のジッパー部４ｂ間の方向に斜めに延びているため、切り込みのミシン目４ｃ側の端部から上紙３０が破断していく方向には、その切り込みのミシン目４ｃ側に隣接する切り込みの短辺が存在することになり、それにより複数の切り込みが繋がってジッパー部４ｂが破断していく。
【００３５】
このようにしてジッパー部４ｂが完全に破断されると、図７（ｂ）に示すように、剥離片部２ａを下紙２０から剥離して捲り上げることができる。すると、下紙２０の剥離片部２ａに対向する領域に表示されたＰＩＮコード２１が視認可能な状態となる。
【００３６】
そして、サービス提供用シート１が贈られた利用者によって、携帯端末７３がサービス提供サーバ７２にアクセスした状態において、サービス提供用シート１の下紙２０に表示されたＰＩＮコード２１が携帯端末７３に入力されて送信されると（ステップ５）、このＰＩＮコード２１が通信回線７４を介してサービス提供サーバ７２にて受信される（ステップ６）。
【００３７】
サービス提供サーバ７２においては、携帯端末７３から送信されてきたＰＩＮコード２１が受信されると、まず、ＰＩＮコード２１に対応づけられたＰＯＳコードが検索される（ステップ７）。サービス提供サーバ７２においては、上述したように、販売されているサービス提供用シート１毎に、下紙２０に表示されたＰＩＮコード２１とＰＯＳコード２２とが対応づけて管理されているため、受信したＰＩＮコード２１に対応づけられたＰＯＳコードを検索することができる。
【００３８】
そして、検索されたＰＯＳコードについての利用可能フラグが“１”に設定されてＯＮ状態となっているかが確認される（ステップ８）。サービス提供用シート１が購入されると、上述したようにそのサービス提供用シート１の下紙２０に表示されたＰＯＳコード２２がＰＯＳ端末７１にて読み取られ、サービス提供サーバ７２にてそのＰＯＳコード２２についての利用可能フラグが“１”に設定されてＯＮ状態となるため、検索されたＰＯＳコードについての利用可能フラグが“１”に設定されてＯＮ状態となっている場合は、サービス提供用シート１が正規に購入されたものであることとなり、サービス提供サーバ７２から携帯端末７３にサービスが提供され（ステップ９）、利用者は携帯端末７３においてサービスを利用することになる（ステップ１０）。
【００３９】
また、検索されたＰＯＳコードについての利用可能フラグが“１”に設定されておらずにＯＮ状態となっていない場合は、サービス提供用シート１が正規に購入されたものではないため、サービスを利用不可能である旨のメッセージがサービス提供サーバ７２から送信される（ステップ１１）。
【００４０】
サービス提供サーバ７２から送信された、サービスを利用不可能である旨のメッセージは通信回線７４を介して携帯端末７３にて受信され、表示出力される（ステップ１２）。
【００４１】
このように、サービス提供用シート１を用いてサービスを利用する利用者は、ジッパー部４ｂを破断していき剥離片部２ａを下紙２０から剥離することによって視認可能となったＰＩＮコード２１を用いてサービスを利用することができる。
【００４２】
なお、ミシン目４ｃを破断しなくても、上述したように剥離片部２ａを捲り上げることによりＰＩＮコード２１を視認可能な状態とすることができるが、ミシン目４ｃを破断して剥離片部２ａを下紙２０から完全に分離してもよい。
【００４３】
上述したように、下紙２０に表示されたＰＩＮコード２１を用いてサービスの提供を受けるために最低限必要となる本体部２ｂが、下紙２０及び上紙３０から分離可能に区画形成されるとともに下紙２０が台紙１０と剥離可能に構成されてなるものであるため、本体部２ｂを、台紙となる部分に貼付する作業を不要としながらも、台紙となる部分に取り付けられたような状態からＰＩＮコード２１を視認不可能としたまま容易に取り外すことができる。
【００４４】
なお、上述した一連の手順はサービス提供用シート１を利用する環境の一例であり、サービス提供用シート１を利用する環境はこれに限定されるものではない。
【００４５】
また、本形態においては、下紙２０の上紙３０との貼着面にＰＩＮコード２１が表示され、上紙３０のＰＩＮコード２１に対向する領域に剥離片部２ａが設けられているが、剥離片部２ａの下紙２０との貼着面にＰＩＮコード２１が表示された構成としてもよい。その場合においても、ＰＩＮコード２１とＰＯＳコード２２とを同時に印字することはできないものの、切り離し線５のマイクロミシン５ａを破断することにより、ＰＩＮコード２１を視認不可能としたまま本体部２ｂを台紙１０から剥離することができる。
【００４６】
（第２の実施の形態）
図８は、本発明のサービス提供用シートの第２の実施の形態を示す図であり、（ａ）は表面図、（ｂ）は（ａ）に示したＡ−Ａ’断面図、（ｃ）は外観斜視図である。図９は、図８に示したサービス提供用シート１０１の分解図であり、（ａ）は上紙１３０の表面図、（ｂ）は上紙１３０の裏面図、（ｃ）は下紙１２０の表面図、（ｄ）は下紙１２０の裏面図、（ｅ）は台紙１１０の表面図、（ｆ）は台紙１１０の裏面図である。
【００４７】
本形態のサービス提供用シート１０１は図８に示すように、その外形が同一となり、角部に丸みを帯びた台紙１１０、下紙１２０及び上紙１３０が互いに貼着され、その一部に表裏貫通した孔部１０８が設けられて構成されている。なお、図８（ｂ）においては、サービス提供用シート１０１の積層構造をわかりやすくするために便宜上厚みを帯びて図示しているが、サービス提供用シート１０１は実際には、図８（ｃ）に示すように、横方向からは積層構造がわからないほど極めて薄いものである。
【００４８】
台紙１１０は、本願発明の第１のシートとなるものである。台紙１１０の下紙１２０との貼着面となる表面には、図９（ｅ）に示すように、その周縁部に接着剤が塗布されることで接着層１４０が積層されているとともに、接着層１４０に囲まれた領域に通知情報１１１が表示されている。
【００４９】
下紙１２０は、本願発明の第２のシートとなるものである。下紙１２０には、図９（ｃ），（ｄ）に示すように、スリット１２３が形成され、このスリット１２３によって、本願発明における第１の分離部となるカード部１０２ａが下紙１２０から分離可能に区画形成されている。なお、スリット１２３の代わりにミシン目を下紙１２０に形成し、ミシン目によってカード部１０２ａを下紙１２０から分離可能に区画形成してもよい。下紙１２０の上紙１３０との貼着面となる表面には、カード部１０２ａとなる領域に、隠蔽情報となるＰＩＮコード１２１と、対応情報となるＰＯＳカード１２２とが表示されている。また、下紙１２０の上紙１３０との貼着面には、カード部１０２ａ及びカード部１０２ａ以外の領域のそれぞれに、ＰＩＮコード１２１及びＰＯＳコード１２２の表示領域を避けてスリット１２３に沿って一定の幅を有して剥離ニスが塗布されることで剥離ニス層１４２が積層されているとともに、下紙１２０のＰＯＳコード１２２が表示された領域とＰＩＮコード１２１が表示された領域との間にも剥離ニス層１４２が積層されている。ＰＩＮコード１２１とＰＯＳコード１２２とは、第１の実施の形態にて示したものと同様に互いに対応づけられたものとなっている。下紙１２０の台紙１１０との貼着面となる裏面には、図９（ｄ）に示すように、その周縁部に接着剤が塗布されることで接着層１４０が積層されている。
【００５０】
上紙１１０は、本願発明の第３のシートとなるものである。上紙１１０には、ＰＯＳコード１２２に対向する領域に孔部１０３が形成されている。上紙１３０の下紙１２０との貼着面となる裏面には、図９（ｂ）に示すように、ＰＩＮコード１２１に対向する領域を除く全面に、貼着後の剥離を可能とする擬似接着剤が塗布されることで擬似接着剤層１４１が積層されている。
【００５１】
上記のように構成されて貼着された上紙１３０と下紙１２０は、その周縁部に沿って、マイクロミシン１０５ａとスリット１０５ｂとが交互に繋がってなる切り離し線１０５が形成されており、それにより、切り離し線１０５で囲まれた領域が、第２の分離部である本体部１０２ｂとなって上紙１３０及び下紙１２０から分離可能に区画形成されている。切り離し線１０５の４つの角部には、上紙１３０及び下紙１２０の角部に向かって延びたスリット１０６がそれぞれ形成されている。また、孔部１０８は、台紙１１０、下紙１２０及び上紙１３０において、本体部１０２ｂの外側の領域に形成されている。
【００５２】
台紙１１０、下紙１２０及び上紙１３０がそれぞれ上記のように構成されていることにより、下紙１２０は、切り離し線１０５の外側の領域にて台紙１１０と貼着されている。また、下紙１２０は、ＰＩＮコード１２２以外の領域にて上紙１３０と貼着されており、剥離ニス層１４２が積層された領域が剥離可能となっている。
【００５３】
上記のように構成されたサービス提供用シート１０１においては、互いに対応づけられたＰＩＮコード１２１とＰＯＳコード１２２とが、共に下紙１２０の上紙１３０との貼着面に表示されるため、これらを同時に印字することができ、マッチングミスを回避することができる。
【００５４】
以下に、上記のように構成されたサービス提供用シート１０１の使用方法について説明する。
【００５５】
図１０及び図１１は、図８及び図９に示したサービス提供用シート１０１の使用状態を示す図である。
【００５６】
図８及び図９に示したサービス提供用シート１０１は、第１の実施の形態にて示したものと同様に、図３に示した環境で使用される。
【００５７】
まず、利用者がサービス提供用シート１０１を購入する際、その店舗に設置されたＰＯＳ端末７１においてＰＯＳコード１２２が読み取られる。サービス提供用シート１０１は、図８（ａ）に示した状態で、孔部１０８を用いて吊り下げられる等して店舗に陳列されて販売されることになるが、この状態においては、下紙１２０に表示されたＰＯＳコード１２２が、上紙１３０に形成された孔部１０３を介して視認可能となっているため、ＰＯＳ端末１７１にて読み取ることができる。また、サービス提供用シート１０１が販売される状態においては、下紙１２０に表示されたＰＩＮコード１２１は上紙１３０に覆われて視認不可能となっている。
【００５８】
サービス提供用シート１０１を購入した利用者は、まず、図１０（ａ）に示すように、上紙１３０及び下紙１２０に形成されたマイクロミシン１０５ａを破断することで切り離し線１０５を介して本体部１０２ｂを分離していく。下紙１２０は、切り離し線１０５の外側の領域にて台紙１１０と貼着されているため、マイクロミシン１０５ａを破断すれば、本体部１０２ｂを台紙１１０から剥離することができる。その際、切り離し線１０５の角部の１つを分離開始端として本体部１０２ｂを分離していくことになるが、切り離し線１０５の４つの角部には、上紙１３０及び下紙１２０の角部に向かって延びたスリット１０６がそれぞれ形成されているため、サービス提供用シート１０１をスリット１０６が開くように湾曲させることで、本体部１０２ｂを分離しやすくすることができる。
【００５９】
本体部１０２ｂがサービス提供用シート１０１から完全に分離されることにより、下紙１２０の台紙１１０との貼着面が表出し、それにより、図１０（ｂ）に示すように、下紙１２０に分離可能に区画形成されたカード部１０２ａが表出する。一方、本体部１０２ｂが分離したサービス提供用シート１０１は、図１０（ｃ）に示すように、台紙１１０の下紙１２０との貼着面に表示された通知情報１１１が視認可能となる。
【００６０】
そして、図８及び図９に示したカード組み込みユニット１０１においては、カード部１０２ａがスリット１２３によって下紙１２０から分離可能に区画形成されているとともに、剥離ニス層１４２及び擬似接着剤層１４１によって上紙１３０から剥離可能となっているため、カード組み込みユニット１０１を購入した利用者は、サービスを利用するために図１１（ａ）に示すように、カード部１０２ａを下紙１２０から分離して上紙１３０から剥離することができる。
【００６１】
カード部１０２ａが下紙１２０から分離して上紙１３０から剥離されると、図１１（ｂ）に示すように、カード部１０２ａの上紙１３０との貼着面に表示されたＰＩＮコード１２１が視認可能な状態となる。
【００６２】
そして、サービス提供用シート１０１の利用者によって、携帯端末７３がサービス提供サーバ７２にアクセスした状態において、サービス提供用シート１０１のカード部１０２ａに表示されたＰＩＮコード１２１が携帯端末７３に入力され、第１の実施の形態にて示したものと同様に、サービスを受けることができる。
【００６３】
上述したように、本形態においても、下紙１２０に表示されたＰＩＮコード１２１を用いてサービスの提供を受けるために最低限必要となる本体部１０２ｂが、下紙１２０及び上紙１３０から分離可能に区画形成されるとともに下紙１２０が台紙１１０と剥離可能に構成されてなるものであるため、本体部１０２ｂを、台紙となる部分に貼付する作業を不要としながらも、台紙となる部分に取り付けられたような状態からＰＩＮコード１２１を視認不可能としたまま容易に取り外すことができる。
【００６４】
また、本形態のサービス提供用シート１０１においては、本体部１０２ｂをサービス提供用シート１０１から分離した後、本体部１０２ｂからカード部１０２ａを分離することで初めて、カード部１０２ａに表示されたＰＩＮコード１２１が視認可能な状態となるため、ＰＩＮコード１２１が不正に見られてしまう可能性をさらに低減することができる。
【００６５】
（第３の実施の形態）
上述した第１及び第２の実施の形態に示したサービス提供用シート１，１０１は、上紙３０，１３０及び下紙２０，１２０の周縁部に沿って、マイクロミシン５ａ，１０５ａとスリット５ｂ，１０５ｂとが交互に繋がってなる切り離し線５，１０５が形成され、それにより、切り離し線５，１０５で囲まれた領域が、第２の分離部である本体部２ｂ，１０２ｂとなって上紙３０，１３０及び下紙２０，１２０から分離可能に区画形成されているが、本体部２ｂ，１０２ｂを上紙３０，１３０及び下紙２０，１２０から分離可能とする切り離し線は、上紙３０，１３０及び下紙２０，１２０の周縁部に沿うものに限らない。
【００６６】
図１２は、本発明のサービス提供用シートの第３の実施の形態を示す図であり、（ａ）は表面図、（ｂ）は（ａ）に示したＡ−Ａ’断面図である。
【００６７】
本形態は図１２に示すように、図８及び図９に示したものに対して、切り離し線２０５の形状と、下紙２２０と台紙２１０との貼着領域が、異なるサービス提供用シート２０１である。
【００６８】
本形態におけるサービス提供用シート２０１においては、上紙２３０及び下紙２２０の対向する２辺に沿って、マイクロミシン２０５ａとスリット２０５ｂとが交互に繋がってなる２本の切り離し線２０５が形成され、この２本の切り離し線２０５で挟まれた領域には下紙２２０と台紙２１０との間に接着層が積層されておらず、それにより、２本の切り離し線２０５で挟まれた領域が、第２の分離部である本体部２０２ｂとなって上紙２３０及び下紙２２０から分離可能に区画形成されている。
【００６９】
上記のように構成されたサービス提供用シート２０１においても、図８及び図９に示したものと同様に、上紙２３０及び下紙２２０に形成されたマイクロミシン２０５ａを破断することで切り離し線２０５を介して本体部２０２ｂを分離し、その後、表出したカード部を下紙２２０から分離して上紙２１０から剥離し、カード部に表示されたＰＩＮコードを用いてサービスを受けることになる。
【００７０】
（第４の実施の形態）
図１及び図２に示したサービス提供用シート１においては、剥離片部２ａを含み、ＰＩＮコード２１及びＰＯＳコード２２が表示された領域が、本体部２ｂとなって切り離し線５によって上紙３０及び下紙２０から分離可能に区画形成されているが、少なくとも剥離片部２ａを含み、ＰＩＮコード２１が表示された領域が、本体部となって上紙３０及び下紙２０から分離可能に区画形成されていればよい。
【００７１】
図１３は、本発明のサービス提供用シートの第４の実施の形態を示す図であり、（ａ）は表面図、（ｂ）は（ａ）に示したＡ−Ａ’断面図、（ｃ）は（ａ）に示したＢ−Ｂ’断面図である。
【００７２】
本形態は図１３に示すように、図１及び図２に示したものに対して、本体部３０２ｂの形状が異なるサービス提供用シート３０１である。
【００７３】
本形態におけるサービス提供用シート３０１においては、本体部３０２ｂが、ＰＩＮコードが表示された領域と剥離片部３０２ａを含むものの、ＰＯＳコード３２２が表示された領域を含んでいない。
【００７４】
上記のように構成されたサービス提供用シート３０１においても、図１及び図２に示したものと同様に、上紙３３０及び下紙３２０に形成されたマイクロミシン３０５ａを破断することで切り離し線３０５を介して本体部３０２ｂを分離し、その後、ジッパー部３０４ｂを破断していき剥離片部３０２ａを下紙３２０から剥離することによって視認可能となったＰＩＮコードを用いてサービスを利用することになる。
【００７５】
（第５の実施の形態）
図８及び図９に示したサービス提供用シート１０１においては、カード部１０２ａにＰＩＮコード１２１及びＰＯＳコード１２２が表示され、本体部１０２ｂがこのカード部１０２ａを含むものとなっているが、カード部にＰＩＮコードのみが表示され、本体部が、ＰＯＳコードが表示された領域を含まないものであってもよい。
【００７６】
図１４は、本発明のサービス提供用シートの第５の実施の形態を示す図であり、（ａ）は表面図、（ｂ）は（ａ）に示したＡ−Ａ’断面図、（ｃ）は（ａ）に示したＢ−Ｂ’断面図である。図１５は、図１４に示したサービス提供用シート４０１の分解図であり、（ａ）は上紙４３０の表面図、（ｂ）は上紙４３０の裏面図、（ｃ）は下紙４２０の表面図、（ｄ）は下紙４２０の裏面図、（ｅ）は台紙４１０の表面図、（ｆ）は台紙４１０の裏面図である。
【００７７】
本形態は図１４及び図１５に示すように、図８及び図９に示したものに対して、下紙４２０のカード部４０２ａ以外の領域にＰＯＳコード４２２が表示され、本体部４０２ｂが、ＰＯＳコード４２２が表示された領域を含まない点が異なるサービス提供用シート４０１である。
【００７８】
上記のように構成されたサービス提供用シート４０１においても、図８及び図９に示したものと同様に、上紙４３０及び下紙４２０に形成されたマイクロミシン４０５ａを破断することで切り離し線４０５を介して本体部４０２ｂを分離し、その後、表出したカード部４０２ａを下紙４２０から分離して上紙４１０から剥離し、カード部４０２ａに表示されたＰＩＮコード４２１を用いてサービスを受けることになる。
【００７９】
なお、上述した実施の形態においては、本体部２ｂ，１０２ｂ，２０２ｂ，３０２ｂ，４０２ｂが、マイクロミシン５ａ，１０５ａ，２０５ａ，３０５ａ，４０５ａ及びスリット５ｂ，１０５ｂ，２０５ｂ，３０５ｂ，４０５ｂからなる切り離し線５，１０５，２０５，３０５，４０５によってサービス提供用シート１，１０１，２０１，３０１，４０１から分離可能となっているが、マイクロミシン５ａ，１０５ａ，２０５ａ，３０５ａ，４０５ａの代わりに、切れ込みとタイが交互に配列してなるいかなるミシン目であってもよい。また、切り離し線５，１０５，２０５，３０５，４０５は、上紙３０，１３０，２３０，３３０及び下紙２０，１２０，２２０，３２０，４２０の厚さ方向の途中までカットが形成されてなるハーフスリットのみから構成されていても構わない。さらに、スリットのみの切り離し線によってサービス提供用シート１，１０１，２０１，３０１，４０１から分離可能としてもよい。ただしその場合は、本体部２ｂ，１０２ｂ，２０２ｂ，３０２ｂ，４０２ｂの少なくとも一部を台紙１０，１１０，２１０，３１０，４１０に剥離可能に貼着しておく必要がある。また、第２、第３及び第５の実施の形態にて示したサービス提供用シート１０１，２０１，４０１においては、その場合さらにカード部を下紙２０，１２０，４２０から分離可能に区画形成する切り離し線として、スリットの代わりに少なくとも一部にタイ部を有する切り離し線を用いる必要がある。
【符号の説明】
【００８０】
１，１０１，２０１，３０１，４０１    サービス提供用シート
２ａ，３０２ａ    剥離片部
２ｂ，１０２ｂ，２０２ｂ，３０２ｂ，４０２ｂ    本体部
３，１０３，１０８，２０３，３０３，４０３，４０８    孔部
４，５，１０５，２０５，３０４，３０５，４０５    切り離し線
４ａ，５ｂ，６，１０５ｂ，１０６，１２３，２０５ｂ，２２３，３０４ａ，３０５ｂ，３０６，４０５ｂ，４２３    スリット
４ｂ，３０４ｂ    ジッパー部
４ｃ，２０４ｃ，３０４ｃ    ミシン目
５ａ，１０５ａ，２０５ａ，３０５ａ，４０５ａ    マイクロミシン
７    郵便物
１０，１１０，２１０，３１０，４１０    台紙
１１，１１１，４１１    通知情報
２０，１２０，２２０，３２０，４２０    下紙
２１，１２１，４２１    ＰＩＮコード
２２，１２２，２２２，３２２，４２２    ＰＯＳコード
３０，１３０，２３０，３３０，４３０    上紙
４０，２４０，３４０，４４０    接着層
５０，３５０    剥離紙
６０，３６０    粘着層
７１    ＰＯＳ端末
７２    サービス提供サーバ
７３    携帯端末
７４    通信回線
１０２ａ    カード部
１４１，２４１，４４１    擬似接着剤層
１４２，２４２，４４２    剥離ニス層
【図１】
2018058296.tif 000003
【図２】
2018058296.tif 000004
【図３】
2018058296.tif 000005
【図４】
2018058296.tif 000006
【図５】
2018058296.tif 000007
【図６】
2018058296.tif 000008
【図７】
2018058296.tif 000009
【図８】
2018058296.tif 000010
【図９】
2018058296.tif 000011
【図１０】
2018058296.tif 000012
【図１１】
2018058296.tif 000013
【図１２】
2018058296.tif 000014
【図１３】
2018058296.tif 000015
【図１４】
2018058296.tif 000016
【図１５】
2018058296.tif 000017